(57)【要約】      （修正有）【課題】内袋を、汚染水等の液体を抜いて空にしたタンクに収容してそのタンク内面に張り付いた状態になるように施工し、汚染水等の液体の再注入や注入した汚染水等の液体の排出を、当該内袋において容易に行うことができるようにした現用されている汚染水等の液体貯蔵タンクに適用して有用な内袋を提供する。【解決手段】タンクより直径，高さとも一回り程度大きな寸法で柔軟なプラスチックシート材によりタンクと相似形の天蓋を有する内袋１を形成し、この内袋の天蓋に、当該内袋の中に空気を出し入れするための空気給排口２とこの内袋の中に汚染水等の液体を出し入れするための液体給排口３を設け、かつ、２つの給排口には、夫々に着脱自在のバルブを備えたことを特徴とする。【選択図】図３
0003188259.tif 000002
【実用新案登録請求の範囲】
【請求項１】
既存タンクより直径，高さとも一回り程度大きな寸法で柔軟なプラスチックシート材により前記タンクと相似形の天蓋を有する内袋を形成し、この内袋の天蓋に、当該内袋内に空気を出し入れするための空気給排口とこの内袋内に汚染水等の液体を出し入れするための液体給排口を設け、前記２つの給排口を前記タンク天蓋から外部に臨ませて当該タンクに内袋を収装するようにしたことを特徴とする汚染水等の液体貯蔵タンク用内袋。
【請求項２】
前記２つの給排口には、夫々に着脱自在にして空気バルブと液体バルブを備えた請求項１に記載の内袋。
【請求項３】
内袋内部の液体給排口に外圧で変形しないか変形し難い折畳み可能なチューブ状の液体給排ダクトを設けた請求項１又は２に記載の内袋。
【請求項４】
タンクの内部に入れた内袋には前記空気給排口から空気を袋内に供給して膨らませ、当該袋の外周壁面，底面をタンク内周面，底壁面に密着させるようにした請求項１〜３のいずれかに記載の内袋。
【請求項５】
内袋は、適宜の折畳み状態で吊下げてタンクの内部に入れ前記空気給排口から空気を袋内に供給して膨らませるようにした請求項４に記載の内袋。
【請求項６】
内袋は、取外していたタンク天蓋の下面に吊下げて前記天蓋のタンク装着と一緒にタンク内部に入れるようにした請求項４に記載の内袋。
【考案の詳細な説明】
【技術分野】
【０００１】
本考案は、液体を貯蔵している金属製タンクの漏れを完璧に防ぐことができる内袋、一例として原子力発電所等で生じている大量の汚染水を収容している金属製タンク（以下、汚染水タンクという）の洩れを完全に防ぐことができる液体貯蔵タンク用の内袋に関する。
【背景技術】
【０００２】
現在、福島第一原子力発電所では、日々に発生する汚染水を、施設内に設置した金属製の貯蔵タンクに保管しているが、セグメントのボルト締結構造で形成されたタンクでは、汚染水の漏洩があることが発見され問題となっている。
【０００３】
すなわち、セグメントのボルト締結構造の汚染水タンクでは、セグメントの接合面に配置したゴム系乃至プラスチック系のシール材が劣化等によってシール機能の低下乃至喪失を来たし、この結果、収容している汚染水がその部位から外部に漏出するという問題が起きている。
【０００４】
この問題の解決策としては、タンク内の汚染水を一旦別の容器に移し替えて当該タンクを空にし、漏洩箇所に防水策を施すことが考えられるが、このような対応処置では汚染水タンクの漏洩に対する根本的解決にはならない。セグメントタイプのタンクの接合箇所は、当該タンクの底から全周壁、天蓋までのすべての部位に存在するため、いま漏洩している部分に防水策を施しても、後から他の部分で新たに漏洩が生じ得るからである。
【０００５】
一般的な液体等の貯蔵タンクの内部全域の防水措置としては、当該タンクの内面全域をカバーする柔軟な内袋をタンク内に入れることが特許文献１〜５などにより知られている。これらの文献１〜５により知られている内袋は、すべてタンク、又は、コンテナ（以下、これらを単にタンクという）に液体が収容される使用前の段階においてタンク内に施工されるものであるから、現に汚染水を貯蔵しているタンクに適用するには無理がある。すなわち、現在問題となっているのは、既に収容されている汚染水をタンクから一旦抜いて別の場所に仮保管し、空にした当該タンクを補修して汚染水を再注入するために施工する内袋であるから、特許文献１〜５の内袋とは、施工時の状況が全く異なっており、このため、公知のタンク用内袋を福島第一原子力発電所の現に使用されている汚染水タンクに単に適用するだけでは用を為さないからである。
【先行技術文献】
【特許文献】
【０００６】
【特許文献１】特開平９−１１００８９号公報
【特許文献２】特開２００１−１２２２５３号公報
【特許文献３】特開２０１２−１０１８３６号公報
【特許文献４】実開昭６０−２２５７０号公報
【特許文献５】実開昭６３−１２８９９２号公報
【考案の概要】
【考案が解決しようとする課題】
【０００７】
そこで本考案では、上記のような福島第一原発における汚染水タンクのような液体貯蔵タンクの漏洩とそのタンクの修復問題に鑑み、内袋を、汚染水を抜いて空にしたタンクに収容してそのタンク内面に張り付いた状態になるように施工し、汚染水等の液体の再注入や注入した汚染水等の液体の排出を、当該内袋において容易に行うことができるようにした現用されている汚染水タンクのような液体貯蔵タンクに適用して好適な内袋を提供することを課題とする。
【課題を解決するための手段】
【０００８】
上記課題を解決することを目的としてなされた本考案タンク用内袋の構成は、既存タンクより直径，高さとも一回り程度大きな寸法で柔軟なプラスチックシート材により前記タンクと相似形の天蓋を有する内袋を形成し、この内袋の天蓋に、当該内袋の中に空気を出し入れするための空気給排口とこの内袋の中に汚染水等の液体を出し入れするための液体給排口を設け、かつ、前記２つの給排口には、夫々に着脱自在のバルブを備え、前記タンクに収装して用いるようにしたことを特徴とするものである。前記プラスチックシート材としては、直鎮状低密度ポリエチレンのものを始めとし、ポリプロピレン系、ポリ塩化ビニル系、ゴム系、或は、これらの複合材や複層材によるものが使用できる。
【０００９】
本考案内袋は、上記構成において、内袋内部の液体給排口に外圧で変形しないか変形し難い折畳み可能なチューブ状の液体給排ダクトを設けることがある。
【００１０】
また本考案内袋は、その上端部外周縁に、当該内袋を吊下げるためのフック状等の治具を引掛ける環状等をなす係止部を設けることがある。係止部は、内袋天蓋の平面形状外周上に少なくとも直径上の２箇所から外周上に等ピッチ４個以上で設けることができる。
【００１１】
さらに、本考案内袋では、タンクから外されているタンク天蓋の下面側に係止させて当該天蓋を吊下げてタンクに装着するとき、同時にタンク内に当該内袋を収容するようにすることができる。この場合において、前記係止具を、天蓋の下からタンク外部に出して垂らし、垂らした係止具に当該タンクの外周を囲える長さのロープを通して結束しておくと、この後タンク天蓋を外したとき、タンク内に収容している内袋がタンク内に落下することがない。
【００１２】
本考案内袋は、適宜の折畳み状態でタンクの内部に入れ、前記空気給排口から空気を袋内に供給して膨らませ、当該袋の外周壁面，底壁面をタンク内周面，底面に密着させる。このとき、液体給排口のバルブは閉じておく。内袋の折畳みには、その高さ方向での折畳み、或は、径方向での折畳み、若しくは、前記両方向での折畳みの併用などの折畳み形態がある。
【００１３】
汚染水を前記内袋に収容するときは、閉じていた液体給排口のバルブを開けて、このバルブを通して汚染水を内袋の中に入れる。
このとき空気給排口のバルブは開けておくと共に、ゆっくりとタンク内の空気を抜く圧力で吸引する。
【考案の効果】
【００１４】
本考案は、汚染水等の液体貯蔵タンク用の内袋を、既存タンクより直径，高さとも一回り程度大きな寸法で柔軟なプラスチックシート材により前記タンクと相似形の天蓋を有する内袋を形成し、この内袋の天蓋に、当該内袋の中に空気を出し入れするための空気給排口とこの内袋の中に汚染水等の液体を出し入れするための液体給排口を設け、かつ、前記２つの給排口には、夫々に着脱自在のバルブを備えたものとしたから、適宜の折畳み状態で前記タンクの中に入れて前記空気給排口から空気を内袋の中に供給して膨らませ、当該袋の外周壁面，底壁面をタンク内周面，底面に密着させ、汚染水等の液体を前記内袋に注入するときは、閉じていた液体給排口のバルブを開けて、このバルブを通して汚染水等の液体を内袋の中に注入すると共に、前記空気給排口から内袋の中の空気を徐々に抜き、一方、内袋の中の汚染水等の液体を排出するときは前記液体給排口の開けたバルブを通して排出すると共に、前記空気給排口から内袋の中に空気を吹込むことができる。
【図面の簡単な説明】
【００１５】
【図１】本考案内袋の一例の斜視図。
【図２】図１の本考案内袋を釣り具で吊下げた状態の斜視図。
【図３】図１の内袋にチューブ状ダクトを取付けてタンク内に収装し、当該タンクの天蓋を取付けた状態の斜視図。
【図４】タンク内に内装した内袋の空気給排口と液体給排口とに、それぞれバルブを取付けた状態の斜視図。
【考案を実施するための形態】
【００１６】
図１において、１は、金属製セグメントをボルト締結により接続して形成した汚染水タンクＤＴ（図３参照）に対し、一例として直径約１２ｍ、高さ約１０ｍの円筒形タンクより一回り大きい、例えば直径１３ｍ、高さ１０ｍの天蓋を有する円筒体状に形成した本考案内袋の一例である。
【００１７】
この内袋１は、柔軟なプラスチックシート製シート材、例えば直鎖状低密度ポリエチレン製の柔軟シート材を、高周波溶着等の溶着又は接着手段により接合して、有底で天蓋を備えた円筒体状の本考案内袋に形成されている。図において、１ａは内袋１の天蓋、１ｂは筒状の周壁、１ｃは底壁である。
【００１８】
上記内袋１の天蓋１ａには、好ましくは当該内袋１と同材質の材料によって硬質の形態に形成された空気給排口２と液体給排口３が設けられている。図の例では、空気給排口２は小さ目の口径に形成される一方、液体給排口は大きめの口径に形成されている。両給排口２，３において、それぞれ２ａ，３ａはノズル部、２ｂ，３ｂはフランジ部である。
【００１９】
セグメントタイプの汚染水タンクＤＴでは、その内部底面に、タンクの底を形成するセグメント同士の接合壁が、底面から直立した形で底面全域に多数存在する（図示せず）。この直立接合壁に本考案内袋１の底壁１ｃが圧接すると、底壁１ｃが破損するおそれが無いとはいえない。
【００２０】
そこで本考案では、底壁１ｃを二重などの重複壁に形成して強度を高めたり、重複壁の間にガラス繊維，不織布，発泡シートなどのクッション材を挿入したクッション構造として前記タンクの凹凸面に底に対応することがある。また、他の例として汚染水タンクの中に直立接合壁が埋まる深さに砂，砂利などを入れて緩衝層の底に形成することも有用である。
本考案では、底壁１ｃの上記重複壁やクッション構造とタンクの底の上記緩衝層の底を併用することもできる。
【００２１】
図１，図２において、４は内袋１の上部（天蓋１ａ）周縁に設けた、例えば吊り具の吊り込みフック５１を引掛けるための環状の係止部で、図示した例では全周上に係止部４が略等ピッチで１８個設けられている。
本考案では、係止部４の形態は、環状以外の形状、例えば吊り込みフック５１に引掛けられる鉤状などでもよく、また、その設置個数も、少なくとも天蓋直径上の２箇所乃至直交する直径上の４箇所にあれば足りる。
【００２２】
以上のように構成された本考案内袋１は、図２に例示するように、例えばクレーンの吊りワイヤ（図示せず）にワイヤ５２を介して結合される吊り具５の吊り込みフック５１に係止部４が引掛けられて持ち上げられ、図３のタンクＤＴの中に搬入される。
【００２３】
内袋１のタンクＤＴ内への収装形態としては、次の形態もある。
すなわち、外されているタンクＤＴの天蓋Ｔｃ（図３参照）をクレーン等のワイヤで吊下げてタンクＤＴに装着するとき、当該天蓋Ｔｃに本考案内袋１を、その係止部４において前記天蓋Ｔｃの下面側に係着させておくと、天蓋Ｔｃの装着と同時に当該内袋１をタンクＤＴ内に収容することができる。このとき、内袋１の天蓋１ａに設けた空気給排口２と液体給排口３は、タンク天蓋Ｔｃに設けた前記２つの給排口２，３
用の穴に通されている。また、タンク天蓋Ｔｃの下面側に吊下げられた内袋１の内部に少量の液体を容れておくと、内袋１のタンクＤＴ内への挿入が行いやすくなる。タンクＤＴに内袋１を収容して天蓋ＴｃをタンクＤＴの開口部に施したあと、前記係止部４をタンクＤＴの外に出して垂らし、その係止具４をタンクＤＴの外周を囲える長さのロープ等に通して結束すると、後からタンク天蓋Ｔｃを外したとき、内袋１がタンクＤＴ内へ落下するのを防ぐことができる。
【００２４】
ここで、内袋１の吊下げ時の形状を図２に示すように大略円筒形状にするためには、少なくとも天蓋１ａの全体か、又は、その外周形のリング状部分が硬くて剛性を持っていなければならない。従って、本考案内袋１では、天蓋１ａを、少なくとも外周のリング状部分を剛性を有する形態にしたものもある。
本考案内袋１において、天蓋１ａが上記剛性を有し、かつ、底壁１ｃが二重壁や緩衝層を備えていると、周壁１ｂが柔軟シートであっても、吊り具５で吊下げると図２のような大略円筒状の形態で吊下げタンクＤＴ内に搬入できる。この場合においても内袋１に液体を少量容れておくと、この内袋１のタンクＤＴ内への挿入がスムーズになる。
【００２５】
一方、本考案内袋１が天蓋１ａ，底壁１ｃを含み、すべて柔軟シート材で形成されている場合（但し、２つの給排口２，３は除く）には、その内袋は全体が柔軟シートであるから折畳み可能であり、従って、このような内袋１は適宜の折畳み形態において吊り具５に吊下げてタンクＤＴ内に搬入することになる。
【００２６】
このようにして内袋１がタンクＤＴの内部に搬入されると、当該タンクＤＴの天蓋Ｔｃを装着する。この天蓋Ｔｃには、内袋１の２つの給排口２，３を、その天蓋Ｔｃの外に位置付けるための穴加工が施される。加工される穴が２つの給排口２，３のフランジ部２ａ，３ａを通せる大きさの場合には、ノズル部２ｂ，３ｂと穴の隙間を埋める。天蓋ＴｃがタンクＤＴに装着されると、２つの給排口２，３には、それぞれ図４に例示するように空気バルブ６と液体バルブ７を取付ける。６１，７１は夫々のバルブ６，７に着脱可能に接続されたエア配管と汚染水配管である。
【００２７】
この状態において、液体給排口３を閉じ、空気給排口２から空気を供給して、当該内袋１をタンクＤＴ内で膨らませると、内袋１の周壁１ｂがタンク内周壁に密着すると共に、内袋１の底壁１ｃもタンクＤＴの底に密着する。
【００２８】
なお、タンクＤＴに収容された内袋１には、その液体給排口３に、一例として鋼線による螺旋リングを内装して伸縮自在構造にした液体給排ダクト３１を設けることがある。このダクト３１は、タンク内部の液体を抜くとき、バルブ７に接続された吸引ポンプの吸引力がタンクＤＴの底まで及ぶようにするためである。本考案では、前記ダクト３１を設けない内袋１もあるが、この場合のタンクＤＴ内の液体排出のためには、液体給排口３から液体吸引ポンプに接続された吸引ホース等の液体排出路を配置する。
【００２９】
上記のようにしてダクト３１を備えた内袋１をタンクＤＴの内部に収設してタンク天蓋Ｔｃが装着されたら、タンク天蓋Ｔｃから外部に臨ませた内袋１の空気給排口２と液体給排口３に、それぞれバルブ６と７が設けられていることにより、漏洩があるために収容していた汚染水を抜いて空にしたタンクＤＴが、その漏洩を完全に修復したタンクＲ−ＤＴに再生される（図４参照）。
【００３０】
本考案内袋１を用いて完全修復された再生タンクＲ−ＤＴの使用態様の一例は、次の通りである。
【００３１】
まず、液体バルブ７を閉じて空気バルブ６を開け、このバルブ６から内袋１に空気を吹込み、内袋１を膨らませる。
次いで、液体バルブ７を開けて汚染水を内袋１の内部にダクト３１を通して注入する。このとき、空気バルブ６からは先に吹込んだ空気をゆっくりと抜く。
このようにして、内袋１が汚染水で満水になったら前記の両バルブ６，７を閉じて、このタンクＲ−ＤＴへの汚染水の再注入を完了する。再注入された汚染水は、内袋１の内部に充満していて、漏れが生じていた金属製タンクＤＴには接しないから、再漏洩することはない。
【００３２】
再注入された汚染水をこのタンクＲ−ＤＴから排出するには、空気バルブ６を開けて内袋１の内部へ一例としてブロアレベルの圧力をかける程度に空気を吹き込むと同時に、バルブ７は全開してポンプにより汚染水を吸引し、バルブ７の外へ排出する。
【００３３】
本考案は以上の通りであって、本考案内袋を用いることにより現在、漏洩現象が生じて社会問題化している汚染水タンクを完全修復して再利用するための手段としてきわめて有用である。
特に、既存の金属製タンクの内部に収装する内袋としての柔軟な密閉容器を空気給排口と液体給排口を備えて形成したから、金属製タンク自体の漏洩を修理することなく当該タンクの修復再生と再利用が可能となり、従って、容易、かつ、低コストで既存の漏洩タンクを再生して再利用するから、コスト的にもきわめて有利である。
以上の実施形態は、本考案内袋を汚染水タンクに適用した例について述べたものであるが、本考案内袋が汚染水以外の液体を貯蔵するタンクの漏洩を修復する手段に適用できることは論を俟たない。また、漏洩のないタンクに適用してそのタンクからの漏洩を未然に防止する内袋として用いることができる。
【符号の説明】
【００３４】
１        本考案内袋
１ａ      天蓋
１ｂ      周壁
１ｃ      底壁
２        空気給排口
３        液体給排口
４        係止部
５        吊り具
６        空気バルブ
７        液体バルブ
ＤＴ      汚染水タンク
Ｒ―ＤＴ  再生タンク
Ｔｃ      タンク天蓋
【図１】
0003188259.tif 000003
【図２】
0003188259.tif 000004
【図３】
0003188259.tif 000005
【図４】
0003188259.tif 000006
【手続補正書】
【提出日】平成25年11月5日(2013.11.5)
【手続補正１】
【補正対象書類名】実用新案登録請求の範囲
【補正対象項目名】全文
【補正方法】変更
【補正の内容】
【実用新案登録請求の範囲】
【請求項１】
タンクより直径，高さとも一回り程度大きな寸法で柔軟なプラスチックシート材により前記タンクと相似形の天蓋を有する内袋を形成し、この内袋の天蓋に、当該内袋内に空気を出し入れするための空気給排口とこの内袋内に汚染水等の液体を出し入れするための液体給排口を設け、前記２つの給排口を前記タンク天蓋から外部に臨ませて当該タンクに内袋を収装するようにしたことを特徴とする汚染水等の液体貯蔵タンク用内袋。
【請求項２】
前記２つの給排口には、夫々に着脱自在にして空気バルブと液体バルブを備えた請求項１に記載の内袋。
【請求項３】
内袋内部の液体給排口に外圧で変形しないか変形し難い折畳み可能なチューブ状の液体給排ダクトを設けた請求項１又は２に記載の内袋。
【請求項４】
タンクの内部に入れた内袋には前記空気給排口から空気を内袋内に供給して膨らませ、当該内袋の外周壁面，底面をタンク内周面，底壁面に密着させるようにした請求項１〜３のいずれかに記載の内袋。
【請求項５】
内袋は、適宜の折畳み状態で吊下げてタンクの内部に入れ前記空気給排口から空気を袋内に供給して膨らませるようにした請求項４に記載の内袋。
【請求項６】
内袋は、取外していたタンク天蓋の下面に吊下げて前記天蓋のタンク装着と一緒にタンク内部に入れるようにした請求項４に記載の内袋。